(57)【要約】      （修正有）【課題】小型化され、光学特性の低下を抑制することができる撮像用光学系を提供する。【解決手段】光電変換が可能なイメージセンサーを含む撮像用光学系であって、正の屈折力を有する第１のレンズ群と、負の屈折力を有する第２のレンズ群と、正又は負の屈折力を有する第３のレンズ群と、正又は負の屈折力を有する第４のレンズ群とを含む光学系。前記第１のレンズ群内に位置され、少なくとも一面非球面であるレンズと、前記第２のレンズ群と第３のレンズ群との間又は第３のレンズ群と第４のレンズ群との間に光の一部を制限する薄膜フィルター又は光学フィルターとをさらに含む光学系。【選択図】図１
2007017984.tif 000002
【特許請求の範囲】
【請求項１】
光電変換が可能なイメージセンサーを含む撮像用光学系であって、
正の屈折力を有する第１のレンズ群と、
負の屈折力を有する第２のレンズ群と、
正又は負の屈折力を有する第３のレンズ群と、
正又は負の屈折力を有する第４のレンズ群と、
を含むことを特徴とする撮像用光学系。
【請求項２】
前記第１のレンズ群内に位置され、少なくとも一面が非球面であるレンズと、
前記第２のレンズ群と第３のレンズ群との間又は第３のレンズ群と第４のレンズ群との間に光の一部を制限する薄膜フィルター又は光学フィルターと、
をさらに含むことを特徴とする請求項１記載の撮像用光学系。
【請求項３】
前記第１のレンズ群が少なくとも１枚の正の屈折力を有するレンズを含むことを特徴とする請求項１記載の撮像用光学系。
【請求項４】
前記第２のレンズ群が少なくとも１枚の負の屈折力を有するレンズを含むことを特徴とする請求項１記載の撮像用光学系。
【請求項５】
前記第３のレンズ群が少なくとも１枚の正又は負の屈折力を有するレンズを含むことを特徴とする請求項１記載の撮像用光学系。
【請求項６】
前記第４のレンズ群が少なくとも１枚の正又は負の屈折力を有するレンズを含むことを特徴とする請求項１記載の撮像用光学系。
【請求項７】
前記第１〜第４のレンズ群の各々が少なくとも一面に非球面のレンズを含むことを特徴とする請求項１記載の撮像用光学系。
【請求項８】
前記撮像用光学系は下記の式を満たすことを特徴とする請求項１記載の撮像用光学系。
0.3 < f1/f < 3.1
ここで、ｆは撮像用光学系の合成焦点距離を、ｆ１は第１のレンズ群の焦点距離をそれぞれ示す。
【請求項９】
前記撮像用光学系は下記の式を満たすことを特徴とする請求項１記載の撮像用光学系。
0.3 < |f2|/f < 8.99
ここで、ｆは撮像用光学系の合成焦点距離を、ｆ２は第２のレンズ群の焦点距離をそれぞれ示す。
【請求項１０】
前記撮像用光学系は下記の式を満たすことを特徴とする請求項１記載の撮像用光学系。
0.19 < f3/f < ∞
ここで、ｆは撮像用光学系の合成焦点距離を、ｆ３は第３のレンズ群の焦点距離をそれぞれ示す。
【請求項１１】
前記撮像用光学系は下記の式を満たすことを特徴とする請求項１記載の撮像用光学系。
0.15 < |f4|/f < ∞
ここで、ｆは撮像用光学系の合成焦点距離を、ｆ４は第４のレンズ群の焦点距離をそれぞれ示す。
【請求項１２】
前記撮像用光学系は下記の式を満たすことを特徴とする請求項１記載の撮像用光学系。
0.45 < f/TTL < 1.01
ここで、ｆは撮像用光学系の合成焦点距離を、ＴＴＬは絞り面から撮像面までの距離をそれぞれ示す。
【請求項１３】
前記第１及び第２のレンズ群は下記の式による光軸方向のサイズを満たすことを特徴とする請求項１記載の撮像用光学系。
0 < d1/TTL < 0.26
ここで、ｄ１は、光軸上で第１のレンズ群と第２のレンズ群との間の離隔距離を、ＴＴＬは絞り面から撮像面までの距離をそれぞれ示す。
【請求項１４】
前記第３及び第４のレンズ群は下記の式による光軸方向のサイズを満たすことを特徴とする請求項１記載の撮像用光学系。
0 < d3/TTL < 0.40
ここで、ｄ３は、光軸上で第３のレンズ群と第４のレンズ群との間の離隔距離を、ＴＴＬは絞り面から撮像面までの距離をそれぞれ示す。
【請求項１５】
前記第１のレンズ群と前記第２のレンズ群のアッベ数は下記の式を満たすことを特徴とする請求項１記載の撮像用光学系。
28.2 < υ1-υ2 < 42.8
ここで、υ1とυ2は第１及び第２のレンズ群のそれぞれの分散特性を示すアッベ数を示す。
【請求項１６】
前記イメージセンサーと前記第４のレンズ群との間に位置された並行平板ガラスをさらに含むことを特徴とする請求項１記載の撮像用光学系。
【発明の詳細な説明】
【技術分野】
【０００１】
本発明は光学系に関して、特に、少なくとも一つ以上のレンズ群を含む光学系に関するものである。
【背景技術】
【０００２】
撮像用光学系は、最近では広く使用されるＣＭＯＳ又はＣＣＤなどの撮像素子と、少なくとも一つのレンズ群を含み、デジタルカメラ、監視カメラ、個人用コンピュータのような多様な形態の映像装置に活用されている。
【０００３】
上述したレンズ群は、少なくとも一つ以上のレンズを含み、レンズは収差特性を有する。この望ましくない収差特性は、レンズの形態によって発生する固有の特性として場合によって像の歪を誘発する要因となり、その中で球面収差及びコマ収差は補正が容易でなく、フレア(ｆｌａｒｅ)などを誘発してしまう。
【０００４】
上述した撮像用光学系のレンズ収差による問題を解決するための手段としては、収差を補正するための非球面レンズを含むレンズ群を使用し、或いは光の一部を制限することができる鋭い面を有する薄膜フィルター又は光学フィルターなどが提案されている。
【０００５】
最近では、映像装置がだんだん小型化及び携帯が容易な形態に開発されることによって、上述した映像装置に実装可能な小型化した撮像用光学系が要求されている。一方、映像装置は、撮像用光学系の光学的機能をより向上した仕様を必要とする。
【発明の開示】
【発明が解決しようとする課題】
【０００６】
したがって、上記のような従来技術の問題点を解決するために、本発明の目的は、小型化され、光学特性の低下を抑制することができる撮像用光学系を提供することにある。 
【課題を解決するための手段】
【０００７】
上記のような目的を達成するために、本発明は、光電変換が可能なイメージセンサーを含む撮像用光学系であって、正の屈折力を有する第１のレンズ群と、負の屈折力を有する第２のレンズ群と、正又は負の屈折力を有する第３のレンズ群と、正又は負の屈折力を有する第４のレンズ群とを含むことを特徴とする。
【発明の効果】
【０００８】
本発明は、かさが小さくなり、解像度が高く、加えて、フレアのような光学的特性の低下を最小化させることができる撮像用光学系を提供する効果がある。
【発明を実施するための最良の形態】
【０００９】
以下、本発明の望ましい実施形態を添付の図面を参照して詳細に説明する。
【００１０】
下記において、本発明に関連した公知の機能或いは構成に関する具体的な説明が本発明の要旨を不明にすると判断された場合に、その詳細な説明を省略する。
【００１１】
図１は、本発明の望ましい実施形態による光学系の構成を示す図である。図１を参照すると、本実施形態による撮像用光学系１０は、光電変換が可能なイメージセンサーＳと、物体側に一番隣接し、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４とを含む。イメージセンサーＳとしては、ＣＣＤ又はＣＭＯＳ撮像素子などが使用可能である。
【００１２】
第１〜第４のレンズ群Ｇ１〜Ｇ４は、それぞれ少なくとも一面に非球面であるレンズを含むことが可能である。第４のレンズ群Ｇ４は、イメージセンサーＳに隣接するように位置され、イメージセンサーＳとの間に挿入された平行平板ガラス(ＬＰ)をさらに含むことが可能である。平行平板ガラスＬＰは、薄膜フィルター又は薄いフィルムとして、赤外線吸収フィルターなどの機能が遂行可能である。
【００１３】
下記の＜数１＞〜＜数５＞は、本発明の実施形態による各レンズ群Ｇ１〜Ｇ４の焦点距離と撮像用光学系１０の焦点距離との関係を説明するための等式である。
【００１４】
第１のレンズ群Ｇ１は、少なくとも１枚の正の屈折力を有するレンズを含み、この撮像用光学系１０は下記の＜数１＞を満たす。
【数１】
2007017984.tif 000003
【００１５】
ここで、ｆは撮像用光学系の合成焦点距離を、ｆ１は第１のレンズ群の焦点距離をそれぞれ示す。
【００１６】
第２のレンズ群Ｇ２は、少なくとも１枚の負の屈折力を有するレンズを含み、その焦点距離は下記の＜数２＞のようである。
【数２】
2007017984.tif 000004
【００１７】
ここで、ｆは撮像用光学系の合成焦点距離を、ｆ２は第２のレンズ群の焦点距離をそれぞれ示す。
【００１８】
第３のレンズ群Ｇ３は、少なくとも１枚の正又は負の屈折力を有するレンズを含み、その焦点距離は下記の＜数３＞により設定可能である。
【数３】
2007017984.tif 000005
【００１９】
ここで、ｆは撮像用光学系の合成焦点距離を、ｆ３は第３のレンズ群の焦点距離をそれぞれ示す。
【００２０】
第４のレンズ群Ｇ４は、少なくとも１枚の正又は負の屈折力を有するレンズを含み、その焦点距離は下記の＜数４＞により設定可能である。
【数４】
2007017984.tif 000006
【００２１】
ここで、ｆは撮像用光学系の合成焦点距離を、ｆ４は第４のレンズ群の焦点距離をそれぞれ示す。
【００２２】
撮像用光学系１０は、下記の＜数５＞を満たす。
【数５】
2007017984.tif 000007
【００２３】
ここで、ｆは撮像用光学系の合成焦点距離を、ＴＴＬは絞り面から撮像面までの距離をそれぞれ示す。
【００２４】
撮像用光学系１０は、＜数６＞を満たす。第１及び第２のレンズ群Ｇ１，Ｇ２は、下記の＜数６＞による光軸方向のサイズを満たす。
【数６】
2007017984.tif 000008
【００２５】
ここで、ｄ１は、光軸上で第１のレンズ群と第２のレンズ群との間の離隔距離を示す。
【００２６】
第３及び第４のレンズ群Ｇ３，Ｇ４は、下記の＜数７＞による光軸方向のサイズを満たす。
【数７】
2007017984.tif 000009
【００２７】
ここで、ｄ３は、光軸上で第３のレンズ群と第４のレンズ群との間の離隔距離を示す。
【００２８】
第１のレンズ群Ｇ１と第２のレンズ群Ｇ２のアッベ数(Ａｂｂｅ’ｓ  ｎｕｍｂｅｒ）は下記の＜数８＞を満たす。
【数８】
2007017984.tif 000010
【００２９】
ここで、υ1とυ2は第１及び第２のレンズ群のそれぞれの分散特性を示すアッベ数を示す。
【００３０】
非球面の定義式は、下記の＜数９＞のように示す。
【数９】
2007017984.tif 000011
【００３１】
ここで、ｘは光学面の頂点から光軸に沿う距離を、ｙは光軸に垂直方向の距離を、ｃは光学面の頂点での曲率(曲率半径の逆数)を、Ｋは円錐係数(ｃｏｎｉｃ  ｃｏｅｆｆｉｃｉｅｎｔ)、Ａ，Ｂ，Ｃ，Ｄ，及びＥは非球面係数を、それぞれ示す。
【００３２】
下記の＜表１＞〜＜表３＞は、本発明の各実施形態による撮像用光学系の各レンズ面での曲率ｃと各レンズ間距離及び各レンズの厚さを示す。
【００３３】
開口に表示された距離は、各実施形態の絞り(ｓｔｏｐ)から第１のレンズ群又は第１のレンズの入射面までの距離を示す。また、物体の距離は、物体から該当実施形態の光学系までの距離で、曲率と同様に無限大までである。
【００３４】
また、下記の＜表１＞〜＜表３＞に示す各面の曲率ｃは、上述したように光学面の頂点での曲率を示す。＜表１＞〜＜表３＞で、第２の面と第３の面は第１のレンズ群の第１のレンズの両面を示し、第４の面と第５の面は第２のレンズの両面を示す。第６の面と第７の面は第３のレンズを示し、第８の面と第９の面は第４のレンズを示す。また、第１０の面と第１１の面は薄膜フィルター又は光学フィルターの両面を示し、上面はセンサーＳを意味する。
【表１】
2007017984.tif 000012
【表２】
2007017984.tif 000013
【表３】
2007017984.tif 000014
【００３５】
＜実施形態１＞
本実施形態による撮像用光学系をなす各レンズの中で非球面は、下記の＜表４＞のように構成され、それ以外の球面及びその他の条件は＜表１＞に示すようである。各非球面は、<数９>によって決定される。第１の実施形態による撮像用光学系１０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞り(ｓｔｏｐ)と、薄膜フィルター又は光学フィルター(ｏｐｔｉｃａｌ  ｆｉｔｅｒ)とを含む。
【００３６】
絞りは、撮像用光学系１０の入射側に位置され、入射された光を第１のレンズ群Ｇ１に出力する。絞りは、撮像用光学系１０に入射される光量を調節するのに使用され、第１のレンズ群Ｇ１から０.０９７００５ｍｍで離隔されるように位置する。
【００３７】
第１のレンズ群Ｇ１は、絞りを通じて入射された光を第２のレンズ群Ｇ２側に出力させる第１のレンズＬ１を含む。第１のレンズＬ１は、非球面である第２及び第３の面Ｒ１，Ｒ２を備え、１.５２９９６０の屈折率と５５.８の分散値を有する材質からなる。第１のレンズＬ１の厚さは１.１７０１３２ｍｍである。
【００３８】
第２のレンズ群Ｇ２は、１.７５５２の屈折率を有し、分散値が２７.５３である第２のレンズＬ２を含む。第２のレンズＬ２は、非球面である第４及び第５の面Ｒ３，Ｒ４を有する。＜表１＞を参照すると、第２のレンズＬ２は第１のレンズＬ１から０．１４ｍｍで離隔され、その曲率中心が光軸上に位置されることが分かる。
【００３９】
第３のレンズ群Ｇ３は、第３のレンズＬ３を含む。第３のレンズＬ３は両面Ｒ５，Ｒ６が非球面として第２のレンズＬ２から０.８８０６４ｍｍで離隔されるように位置され、厚さは０．８０１４２３ｍｍである。第３のレンズＬ３は、１.５２９９６の屈折率と５５.８の分散値を有する材質からなる。
【００４０】
第４のレンズ群Ｇ４は、両面Ｒ７，Ｒ８が非球面である第４のレンズＬ４を含み、第４のレンズＬ４は１.５２９９６の屈折率と５５.８の分散値を有する材質からなる。薄膜フィルター又は光学フィルターＬＰは、ＢＳＣ７-ＨＯＹＡの基板の一面に光学薄膜蒸着によって形成され、第４のレンズを通過した光の一部を制限して出力する。薄膜フィルター又は光学フィルターＬＰは、第４のレンズＬ４から０．６ｍｍで離隔され、厚さは０.３ｍｍである。
【表４】
2007017984.tif 000015
【００４１】
＜実施形態２＞
第２の実施形態による撮像用光学系２０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターＬＰとを含む。
【００４２】
第１のレンズ群Ｇ１は、両面Ｒ１，Ｒ２が非球面である第１のレンズを含み、第１のレンズは厚さが１.１７４３９９ｍｍで、絞りから０.１５８４２３ｍｍで離隔されていることがわかる。
【００４３】
第２のレンズ群Ｇ２は１．７５５２の屈折率を有し、分散値が２７.５３である第２のレンズＬ２を含む。第２のレンズＬ２は、非球面である第４及び第５の面Ｒ３，Ｒ４を有する。＜表１＞を参照すると、第２のレンズＬ２は第１のレンズＬ１から０.０５ｍｍで離隔され、その厚さは０．３６３６５８ｍｍである。
【００４４】
第３のレンズ群Ｇ３は、第３のレンズＬ３を含む。第３のレンズＬ３は、非球面の両面Ｒ５，Ｒ６を有し、第２のレンズＬ２から０.６２６３６９ｍｍで離隔されるように位置し、厚さは１.２００ｍｍである。第３のレンズＬ３は、１.５２９９６の屈折率と５５.８の分散値を有する材質からなる。
【００４５】
第４のレンズ群Ｇ４は、非球面の両面Ｒ７，Ｒ８を有する第４のレンズＬ４を含み、第４のレンズＬ４は１.５２９９６の屈折率と５５.８の分散値を有する材質からなる。薄膜フィルター又は光学フィルターＬＰは、ＢＳＣ７-ＨＯＹＡの基板の一面に光学薄膜蒸着によって形成され、第４のレンズを通過した光の一部を制限して出力する。薄膜フィルター又は光学フィルターＬＰは、第４のレンズＬ４から０.３ｍｍで離隔される。
【００４６】
本実施形態による第１〜第４のレンズの非球面仕様は、上述した＜数９＞によって下記の＜表５＞のように算出される。
【表５】
2007017984.tif 000016
【００４７】
＜実施形態３＞
第３の実施形態による撮像用光学系３０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００４８】
第１のレンズ群Ｇ１は、非球面の両面Ｒ１，Ｒ２を有する第１のレンズＬ１を含み、＜表１＞を参照すると、第１のレンズは厚さが１.１００００ｍｍで、絞りから０.１１８５３９ｍｍで離隔されている。
【００４９】
第２のレンズ群Ｇ２は、１.７５５２の屈折率を有し、分散値が２７.５３である第２のレンズＬ２を含む。第２のレンズＬ２は、非球面である第４及び第５の面Ｒ３，Ｒ４を有する。＜表１＞を参照すると、第２のレンズＬ２は、第１のレンズＬ１から０.１０３０８４ｍｍで離隔され、その厚さは０.６７１３２１ｍｍである。
【００５０】
第３のレンズ群Ｇ３は、第３のレンズＬ３を含む。第３のレンズＬ３は、両面Ｒ５，Ｒ６が非球面として、第２のレンズＬ２から０.３２７７２２ｍｍで離隔されるように位置され、厚さは０.９ｍｍである。第３のレンズＬ３は、１.４８７４９の屈折率と７０.４０５８の分散値を有する材質からなる。
【００５１】
第４のレンズ群Ｇ４は、両面Ｒ７，Ｒ８が非球面である第４のレンズＬ４を含み、第４のレンズＬ４は１.５１６７９９の屈折率と５６.３９５４の分散値を有する材質からなる。薄膜フィルター又は光学フィルターＬＰは、ＢＳＣ７-ＨＯＹＡの基板の一面に光学薄膜蒸着によって形成され、第４のレンズＬ４を通過した光の一部を制限して出力する。薄膜フィルター又は光学フィルターＬＰは、第４のレンズＬ４から１.２ｍｍで離隔される。
【００５２】
本実施形態による第１〜第４のレンズの非球面仕様は上述した＜数９＞によって＜表６＞のように算出される。
【表６】
2007017984.tif 000017
【００５３】
＜実施形態４＞
第４の実施形態による撮像用光学系４０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００５４】
第１のレンズ群Ｇ１は、非球面の両面Ｒ１，Ｒ２を有する第１のレンズＬ１を含む。＜表１＞を参照すると、第１のレンズＬ１は、厚さが１．０６６８７ｍｍで、絞りから０.０３ｍｍで離隔されている。また、第１のレンズＬ１は、１．５３１４４９の屈折率と６６.１３８１の分散値を有する材質からなる。
【００５５】
第２のレンズ群Ｇ２は、１．６７１１７４の屈折率を有し、分散値が３２.０１９７である第２のレンズＬ２を含み、第２のレンズＬ２の第４及び第５の面Ｒ３,Ｒ４は球面である。＜表１＞を参照すると、第２のレンズＬ２は、第１のレンズＬ１から０.１０２８４１ｍｍで離隔され、その厚さは０．３ｍｍである。
【００５６】
第３のレンズ群Ｇ３は、第３のレンズＬ３を含む。第３のレンズＬ３は非球面である第６の面及び第７の面Ｒ５，Ｒ６からなり、第２のレンズＬ２から０.７４６６７３ｍｍで離隔されるように位置され、厚さは０.７９７７６３ｍｍである。第３のレンズＬ３は、１.５３２９２８の屈折率と６６.０１５の分散値を有する材質からなる。
【００５７】
第４のレンズ群Ｇ４は、非球面である第８の面と第９の面Ｒ７，Ｒ８を有する第４のレンズＬ４を含む。第４のレンズＬ４は、１.５４５５３４の屈折率と６５.００９８の分散値を有する材質からなる。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは第４のレンズＬ４から０.４２０６２２ｍｍで離隔される。
【００５８】
本実施形態による第１，第３，及び第４のレンズの具体的な非球面仕様は、上述した＜数９＞によって下記の＜表７＞のように算出される。
【表７】
2007017984.tif 000018
【００５９】
＜実施形態５＞
第５の実施形態による撮像用光学系５０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００６０】
第１のレンズ群Ｇ１は、両面Ｒ１、Ｒ２が非球面である第１のレンズＬ１を含む。＜表１＞を参照すると、第１のレンズＬ１は、厚さが１.５ｍｍで、絞りから０.０５９４７８ｍｍで離隔されている。また、第１のレンズＬ１は、屈折率が１.５３３２３０で、分散値が６５.９８９９の材質からなる。
【００６１】
第２のレンズ群Ｇ２は、１.７５５２０１の屈折率を有し、分散値が２７.５７９５である第２のレンズＬ２を含み、第２のレンズＬ２の第４及び第５の面Ｒ３，Ｒ４は球面である。＜表１＞を参照すると、第２のレンズＬ２は、第１のレンズＬ１から０.４６６９３９ｍｍで離隔され、その厚さは０.６ｍｍである。
【００６２】
第３のレンズ群Ｇ３は、第３のレンズＬ３を含む。第３のレンズＬ３は、非球面である第６及び第７の面Ｒ５，Ｒ６からなり、第２のレンズＬ２から１．０２０３９２ｍｍで離隔されるように位置され、厚さは１．５ｍｍである。第３のレンズＬ３は、１.５２６８４６の屈折率と５３.０３０４７３の分散値を有する材質からなる。
【００６３】
第４のレンズ群Ｇ４は、非球面である第８の面と第９の面Ｒ７，Ｒ８を有する第４のレンズＬ４を含む。第４のレンズＬ４は、１.５３７４１６の屈折率と５０.１４４７の分散値を有する材質からなる。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは第４のレンズＬ４から０.５３３９２ｍｍで離隔される。
【００６４】
本実施形態による第１、第３、及び第４のレンズの具体的な非球面仕様は、上述した＜数９＞によって下記の＜表８＞に示すように算出される。
【表８】
2007017984.tif 000019
【００６５】
＜実施形態６＞
第６の実施形態による撮像用光学系６０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００６６】
第１のレンズ群Ｇ１は、非球面の両面Ｒ１，Ｒ２を有する第１のレンズＬ１を含む。＜表２＞を参照すると、第１のレンズＬ１は、厚さが１．４１３１７１ｍｍで、絞りから０．６４７６７３ｍｍで離隔されることがわかる。また、第１のレンズＬ１は１.５２９９６０の屈折率と５５.８の分散値を有する材質からなる。
【００６７】
第２のレンズ群Ｇ２は、１．７５５２０１の屈折率を有し、分散値が２７．５７９５である第２のレンズＬ２を含み、第２のレンズＬ２の第４及び第５の面Ｒ３，Ｒ４は球面である。＜表２＞を参照すると、第２のレンズＬ２は、第１のレンズＬ１から０.１ｍｍで離隔され、その厚さは０.３ｍｍである。
【００６８】
第３のレンズ群Ｇ３は、第３のレンズＬ３を含む。第３のレンズＬ３は、非球面である第６の面及び第７の面Ｒ５，Ｒ６からなり、第２のレンズＬ２から２．１２６５０７ｍｍで離隔されるように位置され、厚さは０．８ｍｍである。第３のレンズＬ３は、１.６７５１３３の屈折率と４９.８０６２の分散値を有する材質からなる。
【００６９】
第４のレンズ群Ｇ４は、非球面である第８の面と第９の面Ｒ７，Ｒ８を有する第４のレンズＬ４を含み、第４のレンズＬ４は１.５２９９６の屈折率と５５.８の分散値を有する材質からなる。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.６５７５９２ｍｍで離隔される。
【００７０】
本実施形態による第１、第３、及び第４のレンズの具体的な非球面仕様は、上述した＜数９＞によって下記の＜表９＞に示すように算出される。 
【表９】
2007017984.tif 000020
【００７１】
＜実施形態７＞
第７の実施形態による撮像用光学系７０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００７２】
第１のレンズ群Ｇ１は、非球面である第２及び第３の面Ｒ１，Ｒ２を有する第１のレンズＬ１を含む。＜表２＞を参照すると、第１のレンズＬ１は、厚さが１.５ｍｍで、絞りから０.３４６３６３ｍｍで離隔されることがわかる。また、第１のレンズＬ１は、１.５２９９６０の屈折率と５５.８の分散値の材質で構成される。
【００７３】
第２のレンズ群Ｇ２は、１.７５５２０１の屈折率を有し、２７.５７９５の分散値を有する第２のレンズＬ２を含み、第２のレンズＬ２の第４及び第５の面Ｒ３，Ｒ４は球面である。＜表２＞を参照すると、第２のレンズＬ２は、第１のレンズＬ１から０.１３２３９５ｍｍで離隔され、その厚さは０.６ｍｍである。
【００７４】
第３のレンズ群Ｇ３は、第３のレンズＬ３を含む。第３のレンズＬ３は、非球面である第６の面及び第７の面Ｒ５，Ｒ６からなり、第２のレンズＬ２から１.０８２５１４ｍｍで離隔されるように位置し、厚さは０.８ｍｍである。第３のレンズＬ３は、１.５２９９６の屈折率と５５.８の分散値を有する材質で構成される。
【００７５】
第４のレンズ群Ｇ４は、非球面である第８の面と第９の面Ｒ７，Ｒ８を有する第４のレンズＬ４を含み、第４のレンズＬ４は、１.５８１２８３の屈折率と６２.５３４３の分散値を有する材質からなる。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.５６８３０７ｍｍで離隔される。
【００７６】
本実施形態による第１、第３、及び第４のレンズの具体的な非球面仕様は、上述した＜数９＞によって下記の＜表１０＞に示すように算出される。 
【表１０】
2007017984.tif 000021
【００７７】
＜実施形態８＞
第８の実施形態による撮像用光学系８０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００７８】
第１のレンズ群Ｇ１は、非球面の第２及び第３の面Ｒ１，Ｒ２を有する第１のレンズＬ１を含む。＜表２＞を参照すると、第１のレンズＬ１は厚さが０.８７３２１９ｍｍで、絞りから０.４５５５６３ｍｍで離隔されることがわかる。また、第１のレンズＬ１は、１.６１８１９４の屈折率と６０.４３７４の分散値の材質で構成される。
【００７９】
第２のレンズ群Ｇ２は、１.７５５２０１の屈折率と２７.５７９５の分散値を有する第２のレンズＬ２を含み、第２のレンズＬ２の第４及び第５の面Ｒ３,Ｒ４は球面である。＜表２＞を参照すると、第２のレンズＬ２は、第１のレンズＬ１から０.１４５８６２ｍｍで離隔され、その厚さは０.３ｍｍである。
【００８０】
第３のレンズ群Ｇ３は、第３のレンズＬ３を含む。第３のレンズＬ３は、非球面である第６の面及び第７の面Ｒ５，Ｒ６からなり、第２のレンズＬ２から０.１６２１６１ｍｍで離隔されるように位置し、厚さは１.９３６６９３ｍｍである。第３のレンズＬ３は、１.６２０４１の屈折率と６０.３２３６の分散値を有する材質で構成される。
【００８１】
第４のレンズ群Ｇ４は、非球面である第８の面と第９の面Ｒ７，Ｒ８を有する第４のレンズＬ４を含む。第４のレンズＬ４は、１.７５５２０１の屈折率と２７.５７９５の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.７５ｍｍで離隔される。
【００８２】
本実施形態による第１、第３、及び第４のレンズの具体的な非球面仕様は、上述した＜数９＞によって下記の＜表１１＞に示すように算出される。
【表１１】
2007017984.tif 000022
【００８３】
＜実施形態９＞
第９の実施形態による撮像用光学系９０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００８４】
第１のレンズ群Ｇ１は、非球面の第２及び第３の面Ｒ１，Ｒ２を有する第１のレンズＬ１を含む。＜表２＞を参照すると、第１のレンズＬ１は厚さが１.１５１１８３ｍｍで、絞りから０.０３ｍｍで離隔されることがわかる。また、第１のレンズＬ１は、１.５４４８０６の屈折率と６５.０６５８の分散値の材質で構成される。
【００８５】
第２のレンズ群Ｇ２は、１.７３０６０３の屈折率と２９.７５６５の分散値を有する第２のレンズＬ２を含み、第２のレンズＬ２の第４及び第５の面Ｒ３,Ｒ４は球面である。＜表２＞を参照すると、第２のレンズＬ２は、第１のレンズＬ１から０.１ｍｍで離隔され、その厚さは０.３５９３４６ｍｍである。
【００８６】
第３のレンズ群Ｇ３は、第３のレンズＬ３を含む。第３のレンズＬ３は、非球面である第６の面及び第７の面Ｒ５，Ｒ６からなり、第２のレンズＬ２から２.２６８５８９ｍｍで離隔されるように位置し、厚さは０.９５８８３５ｍｍである。第３のレンズＬ３は、１.５８１７０３の屈折率と４１.１８５９の分散値を有する材質で構成される。
【００８７】
第４のレンズ群Ｇ４は、非球面である第８の面と第９の面Ｒ７，Ｒ８を有する第４のレンズＬ４を含む。第４のレンズＬ４は、１.５９０３０９の屈折率と６１.９８３６の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.６３５４２５ｍｍで離隔される。
【００８８】
本実施形態による第１、第３、及び第４のレンズの具体的な非球面仕様は、上述した＜数９＞によって下記の＜表１２＞に示すように算出される。
【表１２】
2007017984.tif 000023
【００８９】
＜実施形態１０＞
第１０の実施形態による撮像用光学系１００は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００９０】
第１のレンズ群Ｇ１は、非球面の第２及び第３の面Ｒ１，Ｒ２を有する第１のレンズＬ１を含む。＜表２＞を参照すると、第１のレンズＬ１は厚さが１.０４０９２３ｍｍで、絞りから０.１１２２３３ｍｍで離隔されることがわかる。また、第１のレンズＬ１は、１.５２９９６０の屈折率と５５.８の分散値の材質で構成される。
【００９１】
第２のレンズ群Ｇ２は、１.７５５２０の屈折率と２７.５３０５の分散値を有する第２のレンズＬ２を含み、第２のレンズＬ２の第４及び第５の面Ｒ３,Ｒ４は球面である。＜表２＞を参照すると、第２のレンズＬ２は、第１のレンズＬ１の中心部にその中心部が接し、その厚さは０.６ｍｍである。
【００９２】
第３のレンズ群Ｇ３は、第３のレンズＬ３を含む。第３のレンズＬ３は、非球面である第６の面及び第７の面Ｒ５，Ｒ６からなり、第２のレンズＬ２から０.７５８７６ｍｍで離隔されるように位置し、厚さは０.８ｍｍである。第３のレンズＬ３は、１.５２９９６０の屈折率と５５.８の分散値を有する材質で構成される。
【００９３】
第４のレンズ群Ｇ４は、非球面である第８の面と第９の面Ｒ７，Ｒ８を有する第４のレンズＬ４を含む。第４のレンズＬ４は、１.５２９９６０の屈折率と５５.８の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.６ｍｍで離隔される。
【００９４】
本実施形態による第１、第３、及び第４のレンズの具体的な非球面仕様は、上述した＜数９＞によって下記の＜表１３＞に示すように算出される。
【表１３】
2007017984.tif 000024
【００９５】
＜実施形態１１＞
第１１の実施形態による撮像用光学系１１０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【００９６】
第１のレンズ群Ｇ１は、非球面の第２及び第３の面Ｒ１，Ｒ２を有する第１のレンズＬ１を含む。＜表３＞を参照すると、第１のレンズＬ１は厚さが０.４９０３ｍｍで、絞りから０.１２２３４３ｍｍで離隔されることがわかる。また、第１のレンズＬ１は、１.５２９９６０の屈折率と５５.８の分散値の材質で構成される。
【００９７】
第２のレンズ群Ｇ２は、１.７５５２０の屈折率と２７.５３０５の分散値を有する第２のレンズＬ２を含み、第２のレンズＬ２の第４及び第５の面Ｒ３,Ｒ４は球面である。＜表３＞を参照すると、第２のレンズＬ２は、第１のレンズＬ１から２.００１１０８ｍｍで離隔され、その厚さは０.３ｍｍである。
【００９８】
第３のレンズ群Ｇ３は、第３のレンズＬ３を含む。第３のレンズＬ３は、非球面である第６の面及び第７の面Ｒ５，Ｒ６からなり、第２のレンズＬ２から０.６７２１４７ｍｍで離隔されるように位置し、厚さは１.１２３４１２ｍｍである。第３のレンズＬ３は、１.５２９９６０の屈折率と５５.８の分散値を有する材質で構成される。
【００９９】
第４のレンズ群Ｇ４は、非球面である第８の面と第９の面Ｒ７，Ｒ８を有する第４のレンズＬ４を含む。第４のレンズＬ４は、１.５２９９６０の屈折率と５５.８の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.５３３３３ｍｍで離隔される。
【０１００】
本実施形態による第１、第３、及び第４のレンズの具体的な非球面仕様は、上述した＜数９＞によって下記の＜表１４＞に示すように算出される。
【表１４】
2007017984.tif 000025
【０１０１】
＜実施形態１２＞
第１２の実施形態による撮像用光学系１２０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【０１０２】
第１のレンズ群Ｇ１は、非球面の第２及び第３の面Ｒ１，Ｒ２を有する第１のレンズＬ１を含む。＜表３＞を参照すると、第１のレンズＬ１は厚さが１.２１９８３８ｍｍで、絞りから０.１７２８６３ｍｍで離隔されることがわかる。また、第１のレンズＬ１は、１.５３２８８９の屈折率と６６.０１８２の分散値の材質で構成される。
【０１０３】
第２のレンズ群Ｇ２は、１.７５５２０の屈折率と２７.５７９５の分散値を有する第２のレンズＬ２を含み、第２のレンズＬ２の第４及び第５の面Ｒ３,Ｒ４は球面である。＜表３＞を参照すると、第２のレンズＬ２は、第１のレンズＬ１から０.１５９４１７ｍｍで離隔され、その厚さは０.４２７３５２ｍｍである。
【０１０４】
第３のレンズ群Ｇ３は、第３のレンズＬ３を含む。第３のレンズＬ３は、非球面である第６の面及び第７の面Ｒ５，Ｒ６からなり、第２のレンズＬ２から０.７４２２３９ｍｍで離隔されるように位置し、厚さは０.８ｍｍである。第３のレンズＬ３は、１.５２９６の屈折率と５５.８の分散値を有する材質で構成される。
【０１０５】
第４のレンズ群Ｇ４は、非球面である第８の面と第９の面Ｒ７，Ｒ８を有する第４のレンズＬ４を含む。第４のレンズＬ４は、１.５２９９６０の屈折率と５５.８の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.７ｍｍで離隔される。
【０１０６】
本実施形態による第１、第３、及び第４のレンズの具体的な非球面仕様は、上述した＜数９＞によって下記の＜表１５＞に示すように算出される。
【表１５】
2007017984.tif 000026
【０１０７】
＜実施形態１３＞
第１３の実施形態による撮像用光学系１３０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【０１０８】
第１のレンズ群Ｇ１は、非球面の第２及び第３の面Ｒ１，Ｒ２を有する第１のレンズＬ１を含む。＜表３＞を参照すると、第１のレンズＬ１は厚さが０.８１２５５８ｍｍで、絞りから０.０３ｍｍで離隔されることがわかる。また、第１のレンズＬ１は、１.６０２７７８の屈折率と６１.２６４８の分散値の材質で構成される。
【０１０９】
第２のレンズ群Ｇ２は、１.７４２０１１の屈折率と２８.１３３４の分散値を有する第２のレンズＬ２を含み、第２のレンズＬ２の第４及び第５の面Ｒ３,Ｒ４は球面である。＜表３＞を参照すると、第２のレンズＬ２は、第１のレンズＬ１から０.１ｍｍで離隔され、その厚さは０.３ｍｍである。
【０１１０】
第３のレンズ群Ｇ３は、第３のレンズＬ３を含む。第３のレンズＬ３は、非球面である第６の面及び第７の面Ｒ５，Ｒ６からなり、第２のレンズＬ２から０.５５６１５７ｍｍで離隔されるように位置し、厚さは０.８ｍｍである。第３のレンズＬ３は、１.７４３９７２の屈折率と４４.８５０４の分散値を有する材質で構成される。
【０１１１】
第４のレンズ群Ｇ４は、非球面である第８の面と第９の面Ｒ７，Ｒ８を有する第４のレンズＬ４を含む。第４のレンズＬ４は、１.７１９３４３の屈折率と２９.１９１３の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.４ｍｍで離隔される。
【０１１２】
本実施形態による第１、第３、及び第４のレンズの具体的な非球面仕様は、上述した＜数９＞によって下記の＜表１６＞に示すように算出される。
【表１６】
2007017984.tif 000027
【０１１３】
＜実施形態１４＞
第１４の実施形態による撮像用光学系１４０は、正の屈折力を有する第１のレンズ群Ｇ１と、負の屈折力を有する第２のレンズ群Ｇ２と、正又は負の屈折力を有する第３のレンズ群Ｇ３と、正又は負の屈折力を有する第４のレンズ群Ｇ４と、絞りと、薄膜フィルター又は光学フィルターとを含む。
【０１１４】
第１のレンズ群Ｇ１は、非球面の第２及び第３の面Ｒ１，Ｒ２を有する第１のレンズＬ１を含む。＜表３＞を参照すると、第１のレンズＬ１は厚さが１.１ｍｍで、絞りから０.４８０２６４ｍｍで離隔されることがわかる。また、第１のレンズＬ１は、１.５２９９６０の屈折率と５５.８の分散値の材質で構成される。
【０１１５】
第２のレンズ群Ｇ２は、１.７５５２０の屈折率と２７.５７９５の分散値を有する第２のレンズＬ２を含み、第２のレンズＬ２の第４及び第５の面Ｒ３,Ｒ４は球面である。＜表３＞を参照すると、第２のレンズＬ２は、第１のレンズＬ１から０.１ｍｍで離隔され、その厚さは０.５ｍｍである。
【０１１６】
第３のレンズ群Ｇ３は、第３のレンズＬ３を含む。第３のレンズＬ３は、非球面である第６の面及び第７の面Ｒ５，Ｒ６からなり、第２のレンズＬ２から２.２３５８１４ｍｍで離隔されるように位置し、厚さは０.５ｍｍである。第３のレンズＬ３は、１.６７５１３３の屈折率と４９.８０６２の分散値を有する材質で構成される。第４のレンズ群Ｇ４は、非球面である第８の面と第９の面Ｒ７，Ｒ８を有する第４のレンズＬ４を含む。第４のレンズＬ４は、１.５２９９６０の屈折率と５５.８の分散値を有する材質で構成される。薄膜フィルター又は光学フィルターＬＰは、ＢＳＣ７-ＨＯＹＡ基板の一面に光学薄膜蒸着によって形成され、第４のレンズＬ４を通過した光の一部を制限して出力する。薄膜フィルター又は光学フィルターＬＰは、第４のレンズＬ４から０.６３８４８ｍｍで離隔される。
【０１１７】
本実施形態による第１、第３、及び第４のレンズの具体的な非球面仕様は、上述した＜数９＞によって下記の＜表１７＞に示すように算出される。  
【表１７】
2007017984.tif 000028
【図面の簡単な説明】
【０１１８】
【図１】本発明の望ましい実施形態による光学系の構成を示す図である。
【図２】本発明の望ましい実施形態による光学系の構成を示す図である。
【図３】本発明の望ましい実施形態による光学系の構成を示す図である。
【図４】本発明の望ましい実施形態による光学系の構成を示す図である。
【図５】本発明の望ましい第２の実施形態による光学系の構成を示す図である。
【図６】本発明の望ましい実施形態による光学系の構成を示す図である。
【図７】本発明の望ましい実施形態による光学系の構成を示す図である。
【図８】本発明の望ましい実施形態による光学系の構成を示す図である。
【図９】本発明の望ましい実施形態による光学系の構成を示す図である。
【図１０】本発明の望ましい実施形態による光学系の構成を示す図である。
【図１１】本発明の望ましい実施形態による光学系の構成を示す図である。
【図１２】本発明の望ましい実施形態による光学系の構成を示す図である。
【図１３】本発明の望ましい実施形態による光学系の構成を示す図である。
【図１４】本発明の望ましい実施形態による光学系の構成を示す図である。
【符号の説明】
【０１１９】
Ｇ１  第１のレンズ群
Ｇ２  第２のレンズ群
Ｇ３  第３のレンズ群
Ｇ４  第４のレンズ群
Ｌ１  第１のレンズ
Ｌ２  第２のレンズ
Ｌ３  第３のレンズ
Ｌ４  第４のレンズ
Ｒ１  第２の面
Ｒ２  第３の面
Ｒ３  第４の面
Ｒ４  第５の面
Ｒ５  第６の面
Ｒ６  第７の面
Ｒ７  第８の面
Ｒ８  第９の面
Ｓ  イメージセンサー
ＬＰ  平行平板ガラス
Ｓｔｏｐ  絞り
【図１】
2007017984.tif 000029
【図２】
2007017984.tif 000030
【図３】
2007017984.tif 000031
【図４】
2007017984.tif 000032
【図５】
2007017984.tif 000033
【図６】
2007017984.tif 000034
【図７】
2007017984.tif 000035
【図８】
2007017984.tif 000036
【図９】
2007017984.tif 000037
【図１０】
2007017984.tif 000038
【図１１】
2007017984.tif 000039
【図１２】
2007017984.tif 000040
【図１３】
2007017984.tif 000041
【図１４】
2007017984.tif 000042